(57)【要約】      （修正有）【課題】遊戯具あるいは荷役用のそりにおいて、衝突時の衝撃を緩和するそり用安全具を提供する。【解決手段】そり用安全具１を、緩衝効果を発揮する厚みと柔軟性及び弾性を備えた発泡合成樹脂材によって断面略Ｃ字状に湾曲成型する。略Ｃ字状に湾曲させて対向する両端、すなわち開放される開口部２の間隔は、少なくともそりの前端部を構成する部材の厚みよりも小さくして絞り部４を形成する。Ｃ字状に形成するそり用安全具１の開口部２は、最も外側に位置する開口部２先端が広がり、内方に向けて間隔が傾斜状態で狭くなる、絞り部４を形成する。上記、そり用安全具１は、そり７の突出部分にＣ字状の開口部２を差し込むことによって装着し、そりの衝突に対して緩衝効果を発揮して安全を確保することができる。【選択図】図４
0003116922.tif 000002
【実用新案登録請求の範囲】
【請求項１】
緩衝効果を発揮する厚みと柔軟性及び弾性を備えた発泡合成樹脂材によって断面略Ｃ字状に湾曲成型し、該略Ｃ字状に湾曲させて対向する両端の開口部の間隔を少なくともそり前端部を構成する部材の厚みよりも小さくなる絞り部に形成したことを特徴とするそり用安全具。
【請求項２】
発泡合成樹脂材によって略Ｃ字状に湾曲させるそり用安全具の開口部は、最も外側に位置する先端が広がり、内方に向けて間隔が傾斜状態で狭くなる絞り部へガイド面を形成したことを特徴とする請求項１記載のそり用安全具。
【請求項３】
発泡合成樹脂材によって略Ｃ字状に湾曲させる開口部の絞り部の奥に、係合段部を形成したことを特徴とする請求項１又は２記載のそり用安全具。
【考案の詳細な説明】
【技術分野】
【０００１】
この考案は、雪上で使用するそりの安全具に関するものである。
【背景技術】
【０００２】
遊戯具として、あるいは荷役用として雪上で使用するそりが広く普及している。従来のそりは、一定の大きさ及び幅であって、滑り易くするために底面の前端部分を上方に向けて傾斜させ、前端上面部分が前方に突出する構造となっている。このような、そりは衝突に対する安全などを考慮するものではなかった。
【考案の開示】
【考案が解決しようとする課題】
【０００３】
従来のそりを傾斜地で使用する場合、予想以上のスピードで滑り、方向やブレーキのコントロールが出来なくなって、ゲレンデの他人や立ち木などに衝突する場合がある。従来のそりでは、衝突に対する安全を考慮していないため、衝突のスピードによっては搭乗者が負傷する他、ゲレンデの他人を負傷させるなどの事故を回避することができなかった。また、衝突した物を破損すると言った事故も避けることが出来ない欠点があった。
【０００４】
上記従来技術の欠点に鑑み、本考案は人や物に衝突した場合に、搭乗者や他人がケガをしないように、また、衝突した物を傷付けないように緩衝効果を発揮し、安全を確保できる安全具を提供することを目的とするものである。また、本考案の別の目的は、簡単に着脱することが可能であって、気軽に使用することができるそり用安全具を提供することである。
【課題を解決するための手段】
【０００５】
請求項１記載の考案は、そり用安全具１を、緩衝効果を発揮する厚みと柔軟性及び弾性を備えた発泡合成樹脂材によって断面略Ｃ字状に湾曲成型する。略Ｃ字状に湾曲させて対向する両端、すなわち開放される開口部２の間隔は、少なくともそりの前端部を構成する部材の厚みよりも小さくして絞り部を形成することである。
【０００６】
請求項２記載の考案は、発泡合成樹脂材によって略Ｃ字状に湾曲させる開口部２の形状に関するものである。すなわち、Ｃ字状に形成するそり用安全具の開口部２は、最も外側に位置する先端が広がり、内方に向けて間隔が傾斜状態で狭くなる、絞り部４へのガイド面５を形成したことである。
また、請求項３記載の考案は、発泡合成樹脂材によって略Ｃ字状に湾曲させる開口部２の絞り部４の奥に、係合段部６を形成することである。
【考案の効果】
【０００７】
請求項１記載の本考案そり用安全具によれば、そりの突出部分、具体的には前端の突出部分に、Ｃ字状の開口部２を差し込むことによってそり用安全具１を装着することができるとともに、装着状態を維持することができる。一旦装着したそり用安全具１は、自身の弾性によって保持される。そり７が人や物、立ち木などに衝突した場合は、発泡合成樹脂材で成型したそり用安全具１を介した状態で衝突するため、発泡合成樹脂材の緩衝効果によって安全が確保される。
【０００８】
請求項２記載の考案によれば、そり用安全具１を装着する際に、広がっている開口部２を、装着しようとするそり７の先端部８などに当接させ、押し込むだけで簡単に装着することができる。また、請求項３記載の考案によれば、一旦装着したそり用安全具１がしっかりと装着され、不用意に脱落することがない。
【考案を実施するための最良の形態】
【０００９】
以下、本考案に係るそり用安全具の実施形態を添付の図面に基づいて説明する。
図１は第一の実施形態を示すそり用安全具のみの斜視図、図２は断面図、図３はそりの一部に装着した状態の断面図、図４は図１に示すそり用安全具を装着した、そり全体の斜視図である。
【００１０】
本考案に係る、そり用安全具１は、発泡ポリエチレン、発泡スチロール、ウレタンフォームなどの発泡合成樹脂材であって、緩衝効果を発揮し柔軟性及び弾性を備えた材質によって一体成型する。すなわち、図１に示すそり用安全具１は、断面略Ｃ字状長手方向の連続ものとして成型する。断面形状の大きさは特に限定されるものではないが、例えば上下50mm、左右70mm程度とし、広幅方向の一方の側縁に開口部２を形成する。発泡合成樹脂材の厚みは、緩衝効果を考慮して、例えば厚み15mm〜20mm程度とする。これにより、中心部には、上下10mmないし20mm程度の内部空間３が形成される。
【００１１】
略Ｃ字状に形成されるそり用安全具１の開口部２には、対向する面が接近する絞り部４を形成する。絞り部４は、そり用安全具１の最も外側の開口部２先端で形成されるものであってもよいが、図示実施形態においては開口部分をラッパ状に開放し、開口端よりも内奥に絞り部４を形成し、絞り部４から開口縁の間はガイド面５として傾斜面で形成する。
【００１２】
上記そり用安全具１は、そり７の先端部８の他、外周の任意位置の鍔状部分に装着することができる。したがって、そり用安全具１の全長は、装着しようとするそり７の形状によって任意に剪定し、例えば長寸法の状態で供給し、使用者が適宜切断して使用することができる。
【００１３】
そり用安全具１をそり７に装着するには、鍔状に突出しているそり７の先端部８に、そり用安全具１の開口部２を当接させて押し込むと、先端部８によって開口部２が広げられて、図３に示すように装着される。図３に示す状態では、そり用安全具１自体の弾性力が開口部２を塞ぐ方向に作用し、絞り部４によって挟持されて、図４に示すようにそり７の先端部８にそり用安全具１を装着した状態が維持され、この状態で安心して使用することができる。
【００１４】
図５は、本考案の第二の実施形態を示すそり用安全具の斜視図、図６は断面図、図７はそりの一部に装着した状態の断面図、図８は図５に示すそり用安全具を装着した、そり全体の斜視図である。
図５ないし図８に示す実施形態のそり用安全具１は、発泡合成樹脂材によって略Ｃ字状に湾曲させる開口部の絞り部４の奥に、係合段部６を形成したものである。係合段部６は、絞り部４の奥に、内部空間３が広がる形状に形成する。
【００１５】
そり７は、ＦＲＰのように、強化プラスチックで一体に成型されるものが多い。このようなそり７には、鍔状に突出する先端部８の先端縁、もしくは全周に形成する鍔の外周縁に、強度を向上させるなどの目的で、膨出部９が形成されている場合が多い。
したがって、そり用安全具１を装着する部分に膨出部９が形成されている場合に、図５に示すそり用安全具１を装着すると、図７に示すように係合段部６が膨出部９の内側に係合し、一旦装着したそり用安全具１がしっかりと保持される。
【００１６】
もっとも、係合段部６の形状及び構造は、完全な逆止爪形状である必要はなく、例えば係合段部の先端に丸みを持たせ、強く引っ張ることによって取り外しを容易に行うことができるようにしておくのが好ましい。このような形状、構造であっても、そり用安全具１の保持効果を発揮し、使用中に安全具１が、そり７から脱落する可能性を少なくすることができる。
【００１７】
そり用安全具１を構成する発泡合成樹脂材の材質、強度、発泡倍率は特に限定するものではなく、低発泡倍率の合成樹脂材を使用する場合は強度的に丈夫なものとすることができる。しかしながら、強度を向上させると緩衝効果が低減することになるため、ある程度大きな発泡倍率で成型し、安全のための緩衝効果の大きなものとしておくのが好ましい。
【００１８】
その場合、強い衝撃によってそり用安全具１が破損する可能性があるが、発泡合成樹脂材によるそり用安全具は、安価に提供することができる。したがって、本考案に係るそり用安全具は使い捨てを前提とし、破損によって安全を確保し、破損した場合は直ちに取り替える使用形態として利用することが可能である。
【図面の簡単な説明】
【００１９】
【図１】図１は、本考案そり用安全具の第一の実施形態を示す斜視図、
【図２】図２は、図１に示すそり用安全具の断面図、
【図３】図３は、図１に示すそり用安全具をそりの一部に装着した状態の断面図、
【図４】図４は、図１に示すそり用安全具を装着した、そり全体の斜視図、
【図５】図５は、本考案の第二の実施形態を示すそり用安全具の斜視図、
【図６】図６は、図５に示すそり用安全具の断面図、
【図７】図７は、図５に示すそり用安全具をそりの一部に装着した状態の断面図、
【図８】図８は、図５に示すそり用安全具を装着した、そり全体の斜視図である。
【符号の説明】
【００２０】
１…そり用安全具、  ２…開口部、  ３…内部空間、  ４…絞り部、  ５…ガイド面、  ６…係合段部、  ７…そり、  ８…先端部、  ９…膨出部。
【図１】
0003116922.tif 000003
【図２】
0003116922.tif 000004
【図３】
0003116922.tif 000005
【図４】
0003116922.tif 000006
【図５】
0003116922.tif 000007
【図６】
0003116922.tif 000008
【図７】
0003116922.tif 000009
【図８】
0003116922.tif 000010